【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
一定の間隔で筒体に曲げ加工された被加工対象物から、被覆導線の導体部分を収容して圧着可能な圧着部を有する圧着端子を形成する連鎖端子の製造装置であって、
前記筒体における一方の端部と他方の端部とを接合して前記圧着部を形成する間、前記筒体を保持する保持手段を備えることを特徴とする連鎖端子の製造装置。
【請求項２】
前記筒体を一定の間隔で複数支持したキャリア部が形成された被加工対象物において、前記筒体における一方の端部と他方の端部とを接合して前記圧着部を形成する間、前記筒体を支持するキャリア部を挟み込むガイドを、さらに備えることを特徴とする請求項１記載の連鎖端子の製造装置。
【請求項３】
前記被加工対象物を一定の間隔で曲げ加工された筒体を、所定の位置に位置決めする送り位置決め機構を、さらに備え、
前記保持手段は、前記筒体における一方の端部と他方の端部とを接合して前記圧着部を形成した後に、前記圧着部から離脱し、
前記送り位置決め機構は、前記保持手段から離脱した圧着部を所定の送り方向に搬送することを特徴とする請求項１又２に記載の連鎖端子の製造装置。
【請求項４】
前記保持手段には、前記筒体を挟み込む略ハ字型部が形成されていることを特徴とする請求項１乃至３のうちいずれか一項に記載の連鎖端子の製造装置。
【請求項５】
前記ハ字型部においては、前記筒体に当接する点と前記筒体の中心点とを結ぶ線と、前記筒体における両端部の接合面と前記筒体の中心点とを結ぶ線と、が交差する角度が、０°より大きく９０°未満であることを特徴とする請求項４に記載の連鎖端子の製造装置。
【請求項６】
前記保持手段は、前記筒体を挟み込む一対の保持治具を有し、
前記一対の保持治具で前記筒体の側方向から前記筒体を挟み込むことで前記一方の端部と前記他方の端部とを当接させることを特徴とする請求項１乃至３のうちいずれか一項に記載の連鎖端子の製造装置。
【請求項７】
前記保持手段は、前記筒体を挟み込む保持治具と、
前記保持治具よって前記筒体にかかる上下方向の外力を左右方向へ変換する外力方向変換部と、を有し、
前記保持治具で前記筒体の上方向又は下方向から前記筒体を挟み込むことで前記外力方向変換部により前記上下方向の外力を前記左右方向の外力へ変換し、前記一方の端部と前記他方の端部とを当接させることを特徴とする請求項１乃至３のうちいずれか一項に記載の連鎖端子の製造装置。
【請求項８】
前記外力方向変換部は、前記保持治具に形成され前記筒体を挟み込む凹部からなり、
前記凹部に前記筒体が挟み込まれることにより前記一方の端部と前記他方の端部とを当接させることを特徴とする請求項７に記載の連鎖端子の製造装置。
【請求項９】
前記一方の端部と前記他方の端部とはレーザ光が照射されて溶接接合され、
前記レーザ光が照射される側の保持治具には、前記レーザ光が通過する貫通孔が形成されていることを特徴とする請求項１乃至５、７、８のいずれか一項に記載の連鎖端子の製造装置。
【請求項１０】
前記保持手段は、前記筒体を挟み込む保持治具と、
前記保持治具よって前記筒体にかかる上下方向の外力を左右方向へ変換する外力方向変換部と、を有し、
前記保持治具で前記筒体の上方向及び下方向から前記筒体を挟み込むことで前記外力方向変換部により前記上下方向の外力を前記左右方向の外力へ変換し、前記一方の端部と前記他方の端部とを当接させることを特徴とする請求項１乃至３のいずれか一項に記載の連鎖端子の製造装置。
【請求項１１】
前記保持治具は、前記上方向から前記筒体を挟み込む上側保持治具と、前記下方向から前記筒体を挟み込む下側保持治具と、を有し、
前記外力方向変換部は、前記上側保持治具及び前記下側保持治具にそれぞれ形成され前記筒体を挟み込む凹部からなり、
前記筒体が支持される支持体側に形成された凹部の方が他方の凹部よりも大きく形成されていることを特徴とする請求項１０に記載の連鎖端子の製造装置。
【手続補正２】
【補正対象書類名】明細書
【補正対象項目名】発明の名称
【補正方法】変更
【補正の内容】
【発明の名称】連鎖端子の製造装置
【手続補正３】
【補正対象書類名】明細書
【補正対象項目名】０００１
【補正方法】変更
【補正の内容】
【０００１】
本発明は、連鎖端子を製造する連鎖端子の製造装置に関する。
【手続補正４】
【補正対象書類名】明細書
【補正対象項目名】０００９
【補正方法】変更
【補正の内容】
【０００９】
そこで、本発明が解決しようとする課題は、被覆導線の導体部分を収容して圧着可能な圧着部を有する圧着端子の形成品質の向上を図ることができる連鎖端子の製造装置を提供することにある。
【手続補正５】
【補正対象書類名】明細書
【補正対象項目名】００１０
【補正方法】変更
【補正の内容】
【００１０】
上記目的を達成するため、本願請求項１に記載した本発明の連鎖端子の製造装置は、一定の間隔で筒体に曲げ加工された被加工対象物から、被覆導線の導体部分を収容して圧着可能な圧着部を有する圧着端子を形成する連鎖端子の製造装置であって、前記筒体における一方の端部と他方の端部とを接合して前記圧着部を形成する間、前記筒体を保持する保持手段を備えることを特徴とする。
【手続補正６】
【補正対象書類名】明細書
【補正対象項目名】００１１
【補正方法】変更
【補正の内容】
【００１１】
請求項１に記載した本発明の連鎖端子の製造装置によれば、筒体における一方の端部と他方の端部とを接合して圧着部を形成する間、筒体を保持手段により保持するため、例えば、一方の端部と他方の端部との突き合わせ界面を位置決めしてレーザ溶接することが可能となり、圧着部の形成品質を向上することができる。
請求項２に記載した本発明の連鎖端子の製造装置は、請求項１に記載の連鎖端子の製造装置であって、前記筒体を一定の間隔で複数支持したキャリア部が形成された被加工対象物において、前記筒体における一方の端部と他方の端部とを接合して前記圧着部を形成する間、前記筒体を支持するキャリア部を挟み込むガイドを、さらに備えることを特徴とする。
請求項２に記載した本発明の連鎖端子の製造装置によれば、ガイドが、筒体を支持するキャリア部を挟み込むことにより、連鎖端子の浮き上がりを防止して、保持手段を圧着部から確実に離脱することができる。
請求項３に記載した本発明の連鎖端子の製造装置は、請求項１又は２に記載の連鎖端子の製造装置であって、前記被加工対象物を一定の間隔で曲げ加工された筒体を、所定の位置に位置決めする送り位置決め機構を、さらに備え、前記保持手段は、前記筒体における一方の端部と他方の端部とを接合して前記圧着部を形成した後に、前記圧着部から離脱し、前記送り位置決め機構は、前記保持手段から離脱した圧着部を所定の送り方向に搬送することを特徴とする。
請求項３に記載した本発明の連鎖端子の製造装置によれば、送り位置決め機構により、保持手段から離脱した圧着部を所定の送り方向に搬送することができる。
請求項４に記載した本発明の連鎖端子の製造装置は、請求項１乃至３のうちいずれか一項に記載の連鎖端子の製造装置であって、前記保持手段に、前記筒体を挟み込む略ハ字型部が形成されていることを特徴とする。
請求項４に記載した本発明の連鎖端子の製造装置によれば、保持治具に形成された略ハ字型部に筒体を挟み込むことができる。
請求項５に記載した本発明の連鎖端子の製造装置は、請求項４に記載の連鎖端子の製造装置であって、前記ハ字型部においては、前記筒体に当接する点と前記筒体の中心点とを結ぶ線と、前記筒体における両端部の接合面と前記筒体の中心点とを結ぶ線と、が交差する角度が、０°より大きく９０°未満であることを特徴とする。
請求項６に記載した本発明の連鎖端子の製造装置によれば、略ハ字型部が、筒体に当接しながら当該筒体を挟み込むことができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項６に記載した本発明の連鎖端子の製造装置は、請求項１乃至３のうちいずれか一項に記載の連鎖端子の製造装置であって、前記保持手段は、前記筒体を挟み込む一対の保持治具を有し、前記一対の保持治具で前記筒体の側方向から前記筒体を挟み込むことで前記一方の端部と前記他方の端部とを当接させることを特徴とする。
【手続補正９】
【補正対象書類名】明細書
【補正対象項目名】００１４
【補正方法】変更
【補正の内容】
【００１４】
請求項２に記載した本発明の連鎖端子の製造装置によれば、一対の保持治具で筒体を側方向から挟み込むため、筒体から形成された圧着部から保持治具を離脱する際に圧着部に傷をつける等の欠陥が生ずることがなく、品質の低下を抑制することができる。
【手続補正１０】
【補正対象書類名】明細書
【補正対象項目名】００１５
【補正方法】変更
【補正の内容】
【００１５】
請求項７に記載した本発明の連鎖端子の製造装置は、請求項１乃至３のうちいずれか一項に記載の連鎖端子の製造装置であって、前記保持手段は、前記筒体を挟み込む保持治具と、前記保持治具よって前記筒体にかかる上下方向の外力を左右方向へ変換する外力方向変換部と、を有し、前記保持治具で前記筒体の上方向又は下方向から前記筒体を挟み込むことで前記外力方向変換部により前記上下方向の外力を前記左右方向の外力へ変換し、前記一方の端部と前記他方の端部とを当接させることを特徴とする。
【手続補正１１】
【補正対象書類名】明細書
【補正対象項目名】００１６
【補正方法】変更
【補正の内容】
【００１６】
請求項７に記載した本発明の連鎖端子の製造装置によれば、保持治具で筒体の上方向又は下方向から筒体を挟み込むことで上下方向の外力を左右方向の外力へ変換し、筒体に曲げ加工された一方の端部と他方の端部とを当接させて筒体を保持するため、例えば、一方の端部と他方の端部とを圧接させて突き合わせ界面を接合することが可能となり、突き合わせ界面等に生じる隙間を解消してレーザ溶接による接合品質を向上することができる。
【手続補正１２】
【補正対象書類名】明細書
【補正対象項目名】００１７
【補正方法】変更
【補正の内容】
【００１７】
請求項８に記載した本発明の連鎖端子の製造装置は、請求項７に記載の連鎖端子の製造装置であって、前記外力方向変換部は、前記保持治具に形成され前記筒体を挟み込む凹部からなり、前記凹部に前記筒体が挟み込まれることにより前記一方の端部と前記他方の端部とを当接させることを特徴とする。
【手続補正１３】
【補正対象書類名】明細書
【補正対象項目名】００１８
【補正方法】変更
【補正の内容】
【００１８】
請求項８に記載した本発明の連鎖端子の製造装置によれば、保持治具に形成された凹部に筒体が挟み込むため、一方の端部と他方の端部とを当接させて溶接接合等が可能となり品質の低下を抑制することができる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
請求項９に記載した本発明の連鎖端子の製造装置は、請求項１乃至５、７、８のいずれか一項に記載の連鎖端子の製造装置であって、前記一方の端部と前記他方の端部とはレーザ光が照射されて溶接接合され、前記レーザ光が照射される側の保持治具には、前記レーザ光が通過する貫通孔が形成されていることを特徴とする。
【手続補正１７】
【補正対象書類名】明細書
【補正対象項目名】００２２
【補正方法】変更
【補正の内容】
【００２２】
請求項９に記載した本発明の連鎖端子の製造装置によれば、レーザ光が照射される側の保持治具には、レーザ光が通過する貫通孔が形成されているため、溶接接合する際に保持治具が邪魔になることがない。
【手続補正１８】
【補正対象書類名】明細書
【補正対象項目名】００２３
【補正方法】変更
【補正の内容】
【００２３】
請求項１０に記載した本発明の連鎖端子の製造装置は、請求項１乃至３のいずれか一項に記載の連鎖端子の製造装置であって、前記保持手段は、前記筒体を挟み込む保持治具と、前記保持治具よって前記筒体にかかる上下方向の外力を左右方向へ変換する外力方向変換部と、を有し、前記保持治具で前記筒体の上方向及び下方向から前記筒体を挟み込むことで前記外力方向変換部により前記上下方向の外力を前記左右方向の外力へ変換し、前記一方の端部と前記他方の端部とを当接させることを特徴とする。
【手続補正１９】
【補正対象書類名】明細書
【補正対象項目名】００２４
【補正方法】変更
【補正の内容】
【００２４】
請求項１０に記載した本発明の連鎖端子の製造装置によれば、保持治具で筒体の上方向及び下方向から筒体を挟み込むことで上下方向の外力を左右方向の外力へ変換し、筒体に曲げ加工された一方の端部と他方の端部とを当接させて筒体を保持するため、例えば、一方の端部と他方の端部とを圧接させて突き合わせ界面を接合することが可能となり、突き合わせ界面等に生じる隙間を解消してレーザ溶接による接合品質を向上することができる。
【手続補正２０】
【補正対象書類名】明細書
【補正対象項目名】００２５
【補正方法】変更
【補正の内容】
【００２５】
請求項１１に記載した本発明の連鎖端子の製造装置は、請求項１０に記載の連鎖端子の製造装置であって、前記保持治具は、前記上方向から前記筒体を挟み込む上側保持治具と、前記下方向から前記筒体を挟み込む下側保持治具と、を有し、前記外力方向変換部は、前記上側保持治具及び前記下側保持治具にそれぞれ形成され前記筒体を挟み込む凹部からなり、前記筒体が支持される支持体側に形成された凹部の方が他方の凹部よりも大きく形成されていることを特徴とする。
【手続補正２１】
【補正対象書類名】明細書
【補正対象項目名】００２６
【補正方法】変更
【補正の内容】
【００２６】
請求項１１に記載した本発明の連鎖端子の製造装置によれば、筒体が支持される支持体側に形成された筒体を挟み込む凹部の方が他方の凹部よりも大きく形成されているため、圧着部から保持治具を離脱する際に圧着部に傷をつける等の欠陥が生ずることがなく、品質の低下を抑制することができる。
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
このように、本発明の連鎖端子の製造装置によれば、被覆導線の導体部分を収容して圧着可能な圧着部を有する圧着端子の形成品質の向上を図ることができる連鎖端子の製造装置を提供することができる。